(57)【要約】  携帯用ＰＣにおいては、入力装置１は、装置本体１ａ、該装置本体１ａに電力を供給する小型発電機１ｄ及び２次電池１ｅを有し、また、記憶装置２は、装置本体２ａ、該装置本体２ａに電力を供給する小型発電機２ｄ及び２次電池２ｅを有し、表示装置３は、装置本体３ａ、該装置本体３ａに電力を供給する小型発電機３ｄ及び２次電池３ｅを有している。これらの入力装置１、記憶装置２及び表示装置３を組み合わせて所定の機能を有する携帯用ＰＣを構成する。
2007074771.tif 000002
【特許請求の範囲】
【請求項１】
第１機能を有する第１機器本体、前記第１機器本体の動作を制御する第１制御部及び前記第１機器本体及び前記第１制御部を動作させる為の電力を供給する第１電源部を具備する第１の電子機器と、
前記第１の機能とは異なる第２機能を有する第２機器本体、前記第２機器本体の動作を制御する第２制御部及び前記第２機器本体及び前記第２制御部を動作させる為の電力を供給する第２電源部を具備する第２の電子機器と、
前記第１及び第２の機能とは異なる第３機能を有する第３機器本体、前記第３機器本体の動作を制御する第３制御部及び前記第３機器本体及び前記第３制御部を動作させる為の電力を供給する第３電源部を具備する第３の電子機器と、
前記第１、第２及び第３の電子機器を互いに電気的に接続してデータ並びに電力を転送させる為の相互配線部であって、第１、第２及び第３の機能を組み合わせて所定の機能を与える相互配線部と、
を具備することを特徴とする電子機器システム。
【請求項２】
前記第１、第２及び第３の電源装置は、電力を発生する発電部及び当該発電部からの発電電力を充電する２次電池を有することを特徴とする請求項１の電子機器システム。
【請求項３】
前記第１、第２及び第３の電子機器は、前記配線部を介して前記前記第１、第２及び第３の電源部に関する第１、第２及び第３電源情報を送受信することを特徴とする請求項１の電子機器システム。
【請求項４】
前記第１、第２及び第３の電子機器は、前記配線部を介して前記第１、第２及び第３の電源部に関する第１、第２及び第３電源情報を送受信することを特徴とする請求項２の電子機器システム。
【請求項５】
前記第１、第２及び第３電源情報は、夫々前記発電部の発電状況及び前記２次電池の残量情報を含むことを特徴とする請求項４の電子機器システム。
【請求項６】
前記第１、第２及び第３の電子機器は、夫々前記配線部を介して前記第１、第２及び第３の電源情報に基づいて前記対応する第１、第２及び第３の電源部の電力を他の第１、第２及び第３の電子機器に供給し、或いは、前記他の第１、第２及び第３の電子機器から電力が供給されることを特徴とする請求項３の電子機器システム。
【請求項７】
前記第１、第２及び第３の電子機器は、夫々前記他の第１、第２及び第３の電子機器から供給された電力を前記２次電池に充電することを特徴とする請求項６の電子機器システム。
【請求項８】
表示機能を有する表示モジュール、前記表示モジュールの動作を制御する第１制御部及び前記表示モジュール及び前記第１制御部を動作させる為の電力を供給する第１電源部を具備する表示装置と、
入力機能を有する入力部、前記入力部の動作を制御する第２制御部及び前記入力部及び前記第２制御部を動作させる為の電力を供給する第２電源部を具備する入力装置と、
データの記憶機能を有する記憶ユニット、前記記憶ユニットの動作を制御する第３制御部及び前記記憶ユニット及び前記第３制御部を動作させる為の電力を供給する第３電源部を具備する記憶装置と、
前記表示装置、入力装置及び記憶装置を互いに電気的に接続してデータ並びに電力を転送させる為の相互配線部であって、表示機能、入力機能及び記憶機能を組み合わせてＰＣ機能を与える相互配線部と、
を具備することを特徴とする電子機器システム。
【請求項９】
複数の電子機器を有し、これら電子機器を組み合わせ所定の機能を持たせた電子機器システムに用いられるものであって、
機器本体と、該機器本体に電力を供給する電源手段を有することを特徴とする電子機器。
【請求項１０】
前記電源装置は、発電手段と該発電手段の発電電力を充電する２次電池を有することを特徴とする請求項９の電子機器。
【請求項１１】
前記電源手段に関する情報を送受信可能にしたことを特徴とする請求項９の電子機器。
【請求項１２】
前記電源手段に関する情報を送受信可能にしたことを特徴とする請求項９の電子機器。
【請求項１３】
前記電源手段に関する情報は、前記発電手段の発電状況及び前記２次電池の残量情報を有することを特徴とする請求項１２記載の電子機器。
【請求項１４】
他の電子機器から受信した前記電源手段に関する情報に基づいて前記電源手段の電力を前記他の電子機器への供給又は前記他の電子機器からの電力の受取りを可能にしたことを特徴とする請求項１１の電子機器。
【請求項１５】
前記他の電子機器から受取った電力を前記２次電池に充電可能にしたことを特徴とする請求項１４の電子機器。
【発明の詳細な説明】
【技術分野】
【０００１】
本発明は、電子機器及び電子機器システムに係り、特に、複数の組み合わせにより目的の機能を実現させることができる電子機器及び電子機器システムに関する。
【背景技術】
【０００２】
従来、電子機器として、例えば、ＰＣ（パーソナル・コンピュータ）は、図７に示すようにＣＰＵ１０１にキーボード１０２及びディスプレイ１０３が接続されるとともに、主記憶装置１０４及び補助記憶装置１０５が接続されている。キーボード１０２から入力されるデータは、主記憶装置１０４に記憶されたプログラムに従ってＣＰＵ１０１により補助記憶装置１０５を利用して演算処理され、この演算結果がディスプレイ１０３に表示される。このようなＰＣにおいては、ＣＰＵ１０１、キーボード１０２、ディスプレイ１０３、主記憶装置１０４及び補助記憶装置１０５等のユニット或いはモジュールは、共通の単一電源装置１０６に接続され、この電源装置１０６からこれらの全てのユニット或いはモジュールに電力が供給されている。
【発明の開示】
【０００３】
ところが、このようなＰＣでは、単一の電源装置１０６のみでＰＣ全体を動作させるようにしているため、電源装置１０６に負荷が集中する。ＰＣ全体のモジュール或いはユニットに安定して電力を供給するには、予め容量の大きな大型の電源装置１０６を用意する必要があり、発熱などの問題で電子機器の小型化に障害になることがある。また、電源装置１０６は、１個のみ設けられるため、仮に、電源装置１０６自身が故障してしまうと、ＰＣ全体が使用できなくなるという問題もある。更に、このように予め用途や機能が決められて構成された電子機器では、仮に、新たに他の機能を付加したいような場合は、その機能以外の他の部分も合わせたものを購入する必要があり経済的にも不利になるという問題がある。
【０００４】
この発明の目的は、安定した電源供給が可能で、しかも多様な機能を持たせることができる電子機器及び電子機器システムを提供することにある。
【０００５】
この発明によれば、
第１機能を有する第１機器本体、前記第１機器本体の動作を制御する第１制御部及び前記第１機器本体及び前記第１制御部を動作させる為の電力を供給する第１電源部を具備する第１の電子機器と、
前記第１の機能とは異なる第２機能を有する第２機器本体、前記第２機器本体の動作を制御する第２制御部及び前記第２機器本体及び前記第２制御部を動作させる為の電力を供給する第２電源部を具備する第２の電子機器と、
前記第１及び第２の機能とは異なる第３機能を有する第３機器本体、前記第３機器本体の動作を制御する第３制御部及び前記第３機器本体及び前記第３制御部を動作させる為の電力を供給する第３電源部を具備する第３の電子機器と、
前記第１、第２及び第３の電子機器を互いに電気的に接続してデータ並びに電力を転送させる為の相互配線部であって、第１、第２及び第３の機能を組み合わせて所定の機能を与える相互配線部と、
を具備することを特徴とする電子機器システムが提供される。
【０００６】
また、この発明によれば、
表示機能を有する表示モジュール、前記表示モジュールの動作を制御する第１制御部及び前記表示モジュール及び前記第１制御部を動作させる為の電力を供給する第１電源部を具備する表示装置と、
入力機能を有する入力部、前記入力部の動作を制御する第２制御部及び前記入力部及び前記第２制御部を動作させる為の電力を供給する第２電源部を具備する入力装置と、
データの記憶機能を有する記憶ユニット、前記記憶ユニットの動作を制御する第３制御部及び前記記憶ユニット及び前記第３制御部を動作させる為の電力を供給する第３電源部を具備する記憶装置と、
前記表示装置、入力装置及び記憶装置を互いに電気的に接続してデータ並びに電力を転送させる為の相互配線部であって、表示機能、入力機能及び記憶機能を組み合わせてＰＣ機能を与える相互配線部と、
を具備することを特徴とする電子機器システムが提供される。
【０００７】
更に、この発明によれば、
複数の電子機器を有し、これら電子機器を組み合わせ所定の機能を持たせた電子機器システムに用いられるものであって、
機器本体と、該機器本体に電力を供給する電源手段を有することを特徴とする電子機器が提供される。
【図面の簡単な説明】
【０００８】
【図１】本発明の第１の実施の形態に係る電子機器システムを概略的に示すブロック図である。
【図２Ａ】図１に示される電子機器の組み合わせを概略的に示す斜視図である。
【図２Ｂ】図２Ａに示される電子機器を概略的に示す側面図である。
【図３】図１に示される入力装置の概略構成を示すブロック図である。
【図４Ａ】図３に示される入力装置の作用を説明するための説明図である。
【図４Ｂ】図３に示される入力装置の作用を説明するためのテーブルである。
【図５】図１に示される電子機器の組み合わせによる機能を説明するための説明図である。
【図６】本発明の第２の実施の形態に係る電子機器システムを概略的に示すブロック図である。
【図７】従来の一例に係る電子機器システムを概略的に示すブロック図である。
【発明を実施するための最良の形態】
【０００９】
以下、図面を参照して本発明の実施の形態に係る電子機器及び電子機器システムを詳細に説明する。【００１０】
（第１の実施の形態）
図１は、本発明の第１の実施の形態にかかる電子機器システムとして携帯用ＰＣの概略構成を示している。【００１１】
図１に示されるように携帯用ＰＣは、外部からデータ或いは指示を入力するための入力装置１、種々のデータを記憶するための記憶装置２及び文字或いはパターン又は画像を表示するための表示装置３等の予め定められた機能を有する電子機器により構成されている。これら入力装置１、記憶装置２及び表示装置３は、それぞれ独立した電子機器として構成される。図１に示される携帯用ＰＣでは、図２Ａ及び２Ｂに示すように入力装置１に表示装置３が着脱可能に設けられ、表示装置３に記憶装置２が着脱可能に設けられている。また、これら入力装置１、記憶装置２及び表示装置３には、共通の配線部材１５が配置されている。この配線部材１５は、入力装置１、記憶装置２及び表示装置３の間を電気的に接続し、電気信号、電子情報或いはデータを送受信する通信ケーブル及び電力を供給する電力ケーブル等が配線部材１５に設けられている。従って、これら入力装置１、記憶装置２及び表示装置３の組み合わせが通常の携帯用ＰＣと同様の機能を与えることができ、通常の携帯用ＰＣとして動作させることができる。また、入力装置１、記憶装置２及び表示装置３は、後に説明されるように夫々が電源部１ｄ、１ｅ、２ｄ、２ｅ、２ｄ、２ｅを備えていることから、入力装置１、記憶装置２及び表示装置３の各々を単独で動作させることができる。【００１２】
尚、これら入力装置１、記憶装置２及び表示装置３には、夫々の側面に後述する小型発電機１ｄ、２ｄ、３ｄのための空気取り入れ１ｄ１、２ｄ１、３ｄ１が設けられている。【００１３】
図３は、入力装置１の概略構成を示している。図３において、１ａは機器本体である装置本体を示し、この装置本体１ａは、外部から指示或いはデータを入力可能な表示部、例えば、液晶表示部（図示せず）を有している。装置本体１ａには、制御部１ｂ（制御ユニット或いは制御モジュール）が接続されている。制御部１ｂは、装置本体１ａに対し各種機能を設定する。制御部１ｂは、入力装置１の装置本体１ａに対して、例えば、キー配列（ＪＩＳ、１０キー、アルファベット配列）を自由に変更可能なタッチパネルからなるキーボード、マウス（ポインティング・デバイス）、家電用のリモコン、電卓、ワープロ、ゲームなどの機能を設定可能とし、装置本体１ａに夫々機能に応じた操作画面を表示させことができる。図３に示す例では、ＰＣのデータ入力に必要なタッチパネルからなるキーボードが設定され、このキーボードが液晶表示部に表示される。【００１４】
装置本体１ａには、機能に応じて電子機器の切り替えを可能とする切り替え部１ｃが接続されている。切り替え部１ｃは、後述する切り替え器１ｃ１、１ｃ２を有し、電源装置を構成する小型発電機１ｄ及び２次電池１ｅが接続されるとともに、前記配線部材１５の通信及び電力ケーブルを介して他の電子機器である記憶装置２及び表示装置３の電源装置が接続されている。【００１５】
電源装置を構成する小型発電機１ｄには、燃料電池、例えば直接メタノール型燃料電池（以下、DMFC: Direct Methanol Fuel Cellと称する。）が用いられる。このＤＭＦＣは、アノード極とカソード極との間に電解質膜を配置し、これらのアノード極とカソード極は、ともに集電体及び触媒層からなっている。アノード極には、燃料として純メタノールあるいはメタノール水溶液が供給され、触媒反応によりプロトン（陽子）が発生される。一方、カソード極（空気極）には空気取り入れ口より空気が供給される。カソード極では、上記電解質膜を通り抜けたプロトンが、供給される空気に含まれる酸素と触媒上で反応することにより発電が行なわれる。このようにＤＭＦＣは、エネルギー密度の高いメタノールを燃料に用い、メタノールから電極触媒上で直接電流を取出せ、改質も不要なことから小型化が可能であり、燃料の取り扱いも水素ガスに比べて容易なことから小形の電子機器の電源として最適とされる。ここで、ＤＭＦＣは、燃料も空気も対流や濃度勾配などを利用して供給するパッジブ型が用いられている。この小型発電機１ｄは、燃料電池に代えて太陽電池を用いることもできる。【００１６】
尚、本発明の燃料電池に使用する燃料は必ずしもメタノール燃料に限られるものではなく、例えばエタノール水溶液や純エタノール等のエタノール燃料、プロパノール水溶液や純プロパノール等のプロパノール燃料、グリコール水溶液や純グリコール等のグリコール燃料、ジメチルエーテル、ギ酸、もしくはその他の燃料であってもよい。いずれにしても、燃料電池に応じた燃料が使用される。  このような小型発電機１ｄの発電情報は、制御部１ｂに送られる。【００１７】
２次電池１ｅには、例えばリチウムイオン充電池（以下、ＬＩＢと称する。）が用いられる。このＬＩＢは、図示しない昇圧手段を介して昇圧される小型発電機１ｄの発電電力により充電され、装置本体１ａの状態に応じて小型発電機１ｄの電力の不足分を補給する。このような２次電池１ｅの残容量は、制御部１ｂに送られる。【００１８】
制御部１ｂは、さらに、他の電子機器（記憶装置２又は表示装置３）に対して、これら他の電子機器との間の接続情報Ｉａ、Ｉｂ、後述する小型発電機２ｄ、３ｄ及び２次電池２ｅ、３ｅの発電、残容量情報 Ｉｃ、本器の小型発電機１ｄ、及び２次電池１ｅの発電、残容量情報 Iｄの送受信を行い、これらの情報に基づいて切り替え部１ｃの制御信号を生成する。【００１９】
切り替え部１ｃは、入力装置１と他の電子機器（記憶装置２及び表示装置３）との間で電力をやり取りするため電路を切り替ええる為に設けられている。ここで、入力装置１と記憶装置２の間の電路を切り替ええる切り替え器１ｃ１と、入力装置１と表示装置３の間の電路を切り替ええる切り替え器１ｃ２を有している。切り替え器１ｃ１（１ｃ２）は、図４Ａに示すように小型発電機１ｄから記憶装置２（表示装置３）へ発電電力を供給するためのスイッチＳＷａ、小型発電機１ｄから装置本体１ａへ発電電力を供給するためのスイッチＳＷｂを有している。また、切り替え器１ｃ１（１ｃ２）は、小型発電機１ｄから２次電池１ｅへ発電電力を供給するためのスイッチＳＷｃ、記憶装置２（表示装置３）から２次電池１ｅを充電するためのスイッチＳＷｄ１、２次電池１ｅから記憶装置２（表示装置３）へ電力を供給するためのスイッチＳＷｄ２及び２次電池１ｅから装置本体１ａへ電力を供給するためのスイッチＳＷｅを有している。【００２０】
そして、制御部１ｂからの制御信号に従って、例えば、図４Ｂに示すように入力装置１が単独で動作する場合は、スイッチＳＷｃとＳＷｅがオンされる。また、制御信号に応答して入力装置１内部で２次電池１ｅを充電する場合は、スイッチＳＷｃがオンされ、記憶装置２（表示装置３）の電源装置により動作する場合は、スイッチＳＷｄ１とＳＷｅがオンされる。更に、制御信号に応答して記憶装置２（表示装置３）の電源装置より２次電池１ｅを充電する場合は、スイッチＳＷｄ１がオンされ、小型発電機１ｄより記憶装置２（表示装置３）の電源装置を充電する場合は、スイッチＳＷａがオンされ、２次電池１ｅで記憶装置２（表示装置３）の電源装置を充電する場合は、スイッチＳＷｄ２がオンされる。【００２１】
図１に示される他の電子機器に該当する記憶装置２及び表示装置３についても、図３に示す入力装置１と同様に構成されている。つまり、記憶装置２には、装置本体２ａ、制御部２ｂ、切り替え部２ｃ、小型発電機２ｄ及び２次電池及２ｅが設けられている。また、同様に、表示装置３にも装置本体３ａ、制御部３ｂ、切り替え部３ｃ、小型発電機３ｄ、及び２次電池３ｅが設けられている。【００２２】
この記憶装置２は、制御部２ｂにより装置本体２ａに対し、例えば、ＰＣ用の記憶部の他、携帯オーディオ用の記憶部、ディスク編集、動画再生などの機能が設定可能になっている。また、表示装置３についても、制御部３ｂにより装置本体３ａに対し、例えばＰＣ用の表示部の他、動画再生、ワープロ及びゲーム機の表示部などの機能が設定可能になっている。【００２３】
このような構成によれば、それぞれ独立して構成される電子機器、つまり入力装置１、記憶装置２及び表示装置３を組み合わせることにより携帯用ＰＣを構成することができる。この場合、入力装置１、記憶装置２及び表示装置３は、夫々に固有の電源装置として小型発電機１ｄ、２ｄ、３ｄ及び２次電池１ｅ、２ｅ、３ｅを備えている。【００２４】
このような構成によれば、例えば、入力装置１は、小型発電機１ｄと２次電池１ｅにより独立して動作可能となり、切り替え器１ｃ１（１ｃ２）によりスイッチＳＷｃとＳＷｅをオンすることにより小型発電機１ｄから２次電池１ｅへ充電用電力を供給し、同時に２次電池１ｅの放電により装置本体１ａへ電力を供給できる。また、スイッチＳＷｃをオンすることにより、小型発電機１ｄから２次電池１ｅへ充電のための電力を供給することができる。【００２５】
他の電子機器（記憶装置２又は表示装置３）についても同様にその電子機器に固有の小型発電機２ｄ、３ｄ及び２次電池２ｅ、３ｅにより装置本体２ａ、３ａへの電力の供給、２次電池２ｅ、３ｅへ充電用電力の供給を行なうことができる。【００２６】
一方、入力装置１、記憶装置２及び表示装置３は、それぞれの間で接続情報Ｉａ、Ｉｂ、発電、残容量情報 Ｉｃ、Ｉｄなどをやり取りしている。【００２７】
従って、例えば、入力装置１において、小型発電機１ｄの発電能力が低下したような場合、制御部１ｂの指示で切り替え器１ｃ１（１ｃ２）によりスイッチＳＷｄ１とＳＷｅをオンすることにより他の電子機器（記憶装置２又は表示装置３）の電源装置から電力を受取り、２次電池１ｅの充電と、２次電池１ｅの放電により装置本体１ａへ電力を供給できる。また、切り替え器１ｃ１（１ｃ２）によりスイッチＳＷｄ１をオンすることで他の電子機器（記憶装置２又は表示装置３）から２次電池１ｅへ充電のための電力を受取ることもできる。【００２８】
また、他の電子機器（記憶装置２又は表示装置３）において小型発電機の発電能力が低下したような場合、切り替え器１ｃ１（１ｃ２）によりスイッチＳＷａをオンすることにより入力装置１の小型発電機１ｄから他の電子機器（記憶装置２又は表示装置３）の電源装置へ電力を供給することができる。また、切り替え器１ｃ１（１ｃ２）によりスイッチＳＷｄ２をオンすることにより入力装置１の２次電池１ｅから他の電子機器（記憶装置２又は表示装置３）に電力を供給することもできる。【００２９】
他の電子機器（記憶装置２又は表示装置３）についても、それぞれ上述したと同様に動作させることができる。【００３０】
また、入力装置１、記憶装置２及び表示装置３は、それぞれ独立して種々の機能が与えられている。したがって、これらの各種機能を組み合わせることにより、ＰＣ以外の所定の機能を有する電子機器システムを構成することができる。例えば、図５に示すように入力装置１、記憶装置２及び表示装置３が全て使用される領域Ａでは、上述したＰＣが構成できる。また、入力装置１と表示装置３を組み合わせた領域Ｂでは、入力装置１でのキーボードとワープロ又はゲーム機能の設定によりワープロやゲーム機として構成できる。さらに入力装置１と記憶装置２を組み合わせた領域Ｃでは、記憶装置２でのディスク編集の設定によりディスク編集機として構成できる。さらに記憶装置２と表示装置３を組み合わせた領域Ｄでは、記憶装置２での動画再生の設定により表示装置３に長時間動画を再生する動画再生機として構成できる。このように入力装置１、記憶装置２及び表示装置３の組み合わせを適宜変更することにより、つまり複数の電子機器を組み合わせることで、所望する新たな機能を持たせることができる。これにより、従来の予め用途が決められて構成されたもののように、新たに他の機能を付加したいような場合、その機能以外の他の部分も合わせて購入する必要があるものと比べ、経済的にも極めて有利にできる。【００３１】
（第２の実施の形態）
第１の実施の形態に係る電子機器システムにおいては、入力装置１、記憶装置２及び表示装置３の３個の電子機器を組み合わせた例を述べたが、さらに他の電子機器の接続を可能にすることで、用途をさらに広げることができる。【００３２】
図６は、第２の実施の形態にかかる電子機器システムの概略構成を示し、図１と同一部分には、同符号を付している。この電子機器システムでは、図１の入力装置１に代えて入出力装置１０が設けられ、さらに通信装置４が設けられている。勿論、記憶装置２、表示装置３については、図１で述べた入力装置１と同様に構成されている。【００３３】
入出力装置１０は、図３で述べた入力装置１と同様に構成されている。つまり、入出力装置１０には、図示しない装置本体、制御部、切り替え部、２次電池の他、小型発電機１０ａが設けられ、この小型発電機１０ａにより装置本体への電力の供給、２次電池へ充電用電力の供給を行なうことが可能になっている。また、入出力装置１０には、赤外線或いはブルートゥースなどを採用した無線装置１０１が設けられている。この無線装置１０１には、例えばテレビ、ビデオ、エアコンなどの家電１１〜１３が接続され、入出力装置１０のリモコン機能の設定により、これら家電１１〜１３の制御を可能にしている。【００３４】
通信装置４についても、図３で述べた入力装置１と同様に構成されている。つまり、通信装置４には、装置本体４ａ、制御部４ｂ、切り替え部４ｃ、小型発電機４ｄ及び２次電池及４ｅが設けられ、自前の小型発電機４ｄ及び２次電池４ｅにより装置本体４ａへの電力の供給、２次電池４ｅへ充電用電力の供給を行なうことが可能になっている。【００３５】
通信装置４には、携帯電話ネットワーク或いはＰＨＳのネットワーク５を介して携帯電話６が接続され、入出力装置１０、記憶装置２、表示装置３及び通信装置４により構成される携帯用ＰＣに対し、さらに携帯電話６との間で音声やデータの通信を可能にする機能を付加するようにしている。【００３６】
入出力装置１０、記憶装置２、表示装置３及び通信装置４には、外付の充電器１６が接続されている。この充電器１６には、小型発電機１６ａが設けられ、この小型発電機１６ａにより充電器１６への充電用電力の供給が可能になっている。また、充電器１６は、入出力装置１０、記憶装置２、表示装置３及び通信装置４への電力の供給を可能にしている。【００３７】
さらに入出力装置１０、記憶装置２、表示装置３及び通信装置４は、それぞれの間で、上述した接続情報Ｉａ、Ｉｂ、発電、残容量情報 Ｉｃ、Ｉｄのやり取りが行われ、これらの情報に基づいて入出力装置１０、記憶装置２、表示装置３及び通信装置４の相互間での電力の受け渡しも可能になっている。【００３８】
一方、入出力装置１０、記憶装置２及び表示装置３には、ＵＳＢなどのシリアルバス７が接続されている。このシリアルバス７には、他のＰＣ８、デジタルカメラ９及び前記携帯電話６が接続可能になっている。この構成においては、入出力装置１０、記憶装置２及び表示装置３は、他のＰＣ８の一部として使用され、また、デジタルカメラ９や携帯電話６からの写真データを記憶装置２に記憶し、或いは、表示装置３に表示するなども可能にしている。【００３９】
上述した説明では、入出力装置１０、記憶装置２及び表示装置３からデジタルカメラ９や携帯電話６への電力供給は行なっていないが、これらデジタルカメラ９及び携帯電話６についても上述した各情報のやり取りなどの条件が満足すれば、入出力装置１０、記憶装置２及び表示装置３からの電力供給を行なうこともできる。また、上述した新たに追加した電子機器は一例であって、小型発電機を内蔵し、且つ機械的、電気的なインターフェースが揃っていれば、さらに異なる電子機器を任意に追加したり削除したりすることもできる。【００４０】
このようにしても第１の実施の形態と同様な効果を得られ、さらに他の外部機器の接続を可能にすることで、第１の実施の形態より、さらに用途範囲を広げることができる。【００４１】
尚、本発明は上記実施形態そのままに限定されるものではなく、実施段階ではその要旨を逸脱しない範囲で構成要素を変形して具体化することができる。また、上記実施形態に開示されている複数の構成要素の適宜な組み合わせにより、種々の発明を形成することができる。例えば、実施形態に示される全構成要素からいくつか構成要素を削除してもよい。更に、異なる実施形態にわたる構成要素を適宜組み合わせてもよい。【００４２】
例えば、上記した説明では、燃料電池本体の構成としてパッシブ型の燃料電池を例に挙げて説明したが、アクティブ型の燃料電池、更には、燃料供給など一部にポンプ等を用いたセミパッシブ型の燃料電池に対しても本発明を適用することができる。これら構成であっても、上気した説明と同様の作用効果が得られる。また、燃料電池の構成として膜電極接合体（ＭＥＡ）の下部に燃料貯蔵部を有する構造でもよいが、燃料収容部からＭＥＡへの燃料の供給は流路を配して接続された構造であってもよい。ＭＥＡへ供給される液体燃料の形態は特に限定されるものではなく、全て液体での供給、全て液体燃料の蒸気を供給、さらには一部が液体状態で供給される場合であっても本発明を適用することができる。【００４３】
また、上述した実施の形態では、複数の電子機器として入力装置１、記憶装置２及び表示装置３について述べたが、これら以外の電子機器を組み合わせたものについても同様にして実施することができる。
【産業上の利用可能性】
【００４４】
本発明によれば、安定した電源供給が可能で、しかも多様な機能を持たせることができる電子機器及び電子機器システムを提供できる。
【図１】
2007074771.tif 000003
【図２Ａ】
2007074771.tif 000004
【図２Ｂ】
2007074771.tif 000005
【図３】
2007074771.tif 000006
【図４Ａ】
2007074771.tif 000007
【図４Ｂ】
2007074771.tif 000008
【図５】
2007074771.tif 000009
【図６】
2007074771.tif 000010
【図７】
2007074771.tif 000011
【国際調査報告】
2007074771.tif 000012
2007074771.tif 000013
2007074771.tif 000014